(57)【要約】【目的】刷版交換に際しての操作性が良く、占有スペースが小さく、サテライト型印刷機にも適用できる刷版移送装置とする。【構成】旧版（２２）を外部に排出する機能と新版（２１）を版胴（４）に給送する機能とを、正転又は逆転の２方向について有する搬送手段（９）と、この搬送手段（９）の上部に並設され、新版（２１）を載置しておく平坦な部材であって、その一端が枢支され、他端が分岐された保持プレート（１１）と、この保持プレート（１１）を枢動させて、その分岐部分を搬送手段（９）の搬送経路に没入させる作動手段（１４）と、を有する刷版移送装置である。【選択図】  図１
2004268265.tif 000002
【特許請求の範囲】
【請求項１】
旧版（２２）を外部に排出する機能と新版（２１）を版胴（４）に給送する機能とを、正転又は逆転の２方向について有する搬送手段（９）と、該搬送手段（９）の上部に並設され、新版（２１）を載置しておく平坦な部材であって、その一端が枢支され、他端が分岐された保持プレート（１１）と、該保持プレート（１１）を枢動させて、その分岐部分を前記搬送手段（９）の搬送経路に没入させる作動手段（１４）と、を有する刷版移送装置。
【請求項２】
前記保持プレート（１１）の分岐部分が櫛状に分岐されたことを特徴とする請求項１記載の刷版移送装置。
【請求項３】
前記搬送手段（３）による排出経路の中途に、旧版（２２）の逆送を防止するストッパ（１５）と、旧版（２２）のストッパ通過を検出する検知手段（１６）が設けられたことを特徴とする請求項２記載の刷版移送装置。
【発明の詳細な説明】
【０００１】
【産業上の利用分野】
本発明は枚葉印刷機に関し、特に、版胴に巻き付けられた使用済みの旧版を排出するとともに、これから使用される新版を版胴に給送する刷版移送装置に関する。
【０００２】
【発明の背景】
オフセット技術による枚葉印刷機にあっては、版胴に巻き付けられた刷版にインキ及び湿し水が供給されて絵柄が生成され、この絵柄がブランケット胴を経由してシートに転写されていく。
印刷される絵柄を取り替える作業切替に際しては、使用済みの旧版を迅速に版胴から排出するとともに、これから印刷に使用される新版を手際よく版胴に給送することが、刷版の自動交換の前提となる。
【０００３】
【従来の技術】
特開平８−１０８５２５号公報にあっては、多数の印刷ユニット間の手狭なスペースに新版ケースを首振り可能に設けておき、複雑な構成の姿勢制御機構及び版送り機構によって新版を版胴に送り出す版替え装置が開示されている。
また、特開平１１−２５４６４５号公報にあっては、版胴に近接する部材が屈曲する版の通路と、版を吸着移動させるサッカー、そして版の保持及び移送を厳密に確認する各種のチェック手段を用いた装置が開示されている。
更に、特許２９４１５９８号公報にあっては、旋回軸を中心にして旋回可能な成形薄板によって版をガイドすることとした装置が開示されている。
【０００４】
【発明が解決しようとする課題】
刷版を入れておく新版ケース自体が運動する装置は、広いスペースを占有し、かつ、構造が非常に複雑化する。
また、刷版の吸着手段や厳密な移動確認手段を必要とする装置は、構成が複雑であるばかりか、生産コストが非常に高い。
更に、旋回軸を利用する装置は、版をガイドするために正確な操作を必要とし、迅速性に欠ける。
近時は、印刷発注の多品種少量化の傾向が益々強くなってきており、印刷作業の切替頻度、すなわち刷版交換の頻度が高いので、何よりも版交換作業時の取り扱いが簡便で、迅速に扱える操作性に優れた装置でなくてはならない。
また、多数の印刷ユニットを直列に連結した従来の直列型印刷機ばかりでなく、共通圧胴を中心に印刷ユニットをサテライト状に配置して成るサテライト型印刷機をも考慮して、占有スペースが少なく、かつ、作業工程制御の容易な装置であることが望まれる。
更に、コストの高い装置では、印刷機への装着が普及し得ないのは、言うまでもない。
【０００５】
本発明は上記した問題に鑑みてなされ、進歩した刷版移送装置を提供するもので、その目的は、刷版交換に際しての操作性が良い装置であること、また、占有スペースが小さく、かつ、作業工程制御が容易で、サテライト型印刷機にも適用できる装置とすること、更に、構成が簡易で、コストが安い装置とすることにある。
【０００６】
【課題を解決するための手段】
そしてこのために、本発明に係る刷版移送装置は、旧版（２２）を外部に排出する機能と新版（２１）を版胴（４）に給送する機能とを、正転又は逆転の２方向について有する搬送手段（９）と、この搬送手段（９）の上部に並設され、新版（２１）を載置しておく平坦な部材であって、その一端が枢支され、他端が分岐された保持プレート（１１）と、この保持プレート（１１）を枢動させて、その分岐部分を搬送手段（９）の搬送経路に没入させる作動手段（１４）と、を有することを特徴とする。
また、保持プレート（１１）の分岐部分は櫛状に分岐される。
更に、搬送手段（９）による排出経路の中途に、旧版（２２）の逆送を防止するストッパ（１５）と、旧版（２２）のストッパ通過を検出する検知手段（１６）が設けられる。
【０００７】
【作用】
排版に際して、使用済みの旧版（２２）は版胴（４）から搬送手段（９）の上に導かれ、搬送手段（９）の正転とともに、ストッパ（１５）及び検知手段（１６）を通過して外部に排出される。
次に給版においては、作動手段（１４）によって保持プレート（１１）の分岐部分が枢動され、搬送手段（９）の搬送経路に没入することとなり、保持プレート（１１）上に準備されていた新版（２１）が搬送手段（９）の逆転とともに版胴（４）に給送されていく。
【０００８】
【実施例】
以下、図面を参照して、本発明の実施例につき詳細に説明する。図１は、本発明に係る刷版移送装置の一実施例を示す側断面図、図２は、同じく装置の左半分を示す平面図、図３以下図８までは、装置の動作を順に示す動作説明図である。
【０００９】
装置のベースとなる基台（１）は平坦な枠組であり、適宜のブラケット（２）を介して、印刷機の左右のサイドフレーム（３）に結合されている。
この基台（１）の前端（版胴（４）側）から後端（図面の右側であって、オペレータが接近する側）にわたり、１対のコンベアローラ（５）、（６）によってエンドレスベルト（７）が張設されている。そして、後端のコンベアローラ（６）を駆動するモータ（８）により、このエンドレスベルト（７）は正転（時計回り）及び逆転（反時計回り）されて刷版を排出／給送する。
従って、これらのエンドレスベルト（７）、コンベアローラ（５）、（６）及びモータ（８）等が刷版の搬送手段（９）を構成している。
なお、図２に示すように、基台（１）の版胴（４）側には、多数の長穴（１０）が整列して設けられており、当該部分は基台（１）の表面よりへこんでいる。
【００１０】
搬送手段（９）の上部には、これから使用される新版を前以て載置しておくプレート（１１）が並設されている。
この保持プレート（１１）は、その後端が軸（１２）に結合されて枢動可能に支持された板状の部材であり、前端そして左右端には刷版の位置決め（１２）を有している。
保持プレート（１１）の、特に前方部分は図２に示すように平行な櫛状に分岐され、基台（１）の長穴（１０）中に没入するようになっている。
【００１１】
保持プレート（１１）の前端近傍に、エアシリンダ等による作動手段（１４）が係合している（なお、作動手段（１４）本体は、基台（１）に固結されていることは、言うまでもない。）。この作動手段（１４）は、保持プレート（１１）に作用して、軸（１２）を中心に枢動させ、これにより、保持プレート（１１）の前端近傍の分岐部分を基台（１）の長穴（１０）に没入させる。
【００１２】
なお、搬送手段（９）による刷版の排出経路の中途には、刷版の排出方向（版胴（４）側からオペレータ側であり、図面の右方向ということになる。）にのみ起倒可能な、スプリングで付勢されたストッパ（１５）が設けられており、使用済みの旧版の排出のみを許容し、逆送（版胴（４）方向への後戻り）を許さないようにしている。
また、排出される旧版がこのストッパ（１５）を通過した事実を検出するため、例えば光電センサによる検知手段（１６）がストッパ（１５）に隣接して設けられる。
更に、（１７）、（１８）及び（１９）は、それぞれ刷版を挟圧するための送りコロを示す。
【００１３】
次に、上記構成の作用について説明する。始めに版胴（４）の概略について注記すると、胴軸方向（図３の紙面に垂直な方向である。）に平行な切欠溝（２０）中に、刷版の版先／版尻をそれぞれ咬持して引張し、刷版を胴周に密着させる、１対の版先クランプ／版尻クランプを設けること、並びにこれらのクランプ装置に外部から作用してクランプ及びその解除を行う技術は、例えば特開平６−２８６１１１号公報等によって、既に十分に知られている。
図３において、これから使用される新版（２１）は保持プレート（１１）上に載置されて準備され、一方、使用済みの旧版（２２）は、版胴（４）が適宜の位置まで回動されて、版尻クランプ（２３）がアクチュエータ（２４）によって解除され、版尻がフリーとされる。
【００１４】
フリーとされた旧版（２２）の版尻は、図４に示すように、搬送手段（９）上に導かれこの搬送手段（９）の正転（時計回りである。）とともに排出が開始される。なお、この時版胴（４）も正転しており、また、送りコロ（１７）が旧版（２２）をエンドレスベルト（７）に向けて挟圧している。
旧版（２２）が搬送手段（９）の正転につれてなおも進行すると、図５に示すように、搬送経路の途中のストッパ（１５）をスプリング付勢に抗して倒伏させて乗り越え始めるとともに、版先クランプ（２５）がアクチュエータ（２４）によって解除されて、旧版（２２）が版胴（４）から完全にフリーとされる。
【００１５】
図６は、本発明にとって決定的に重要である。旧版（２２）の最後尾（版先であった縁）がストッパ（１５）を乗り越えると、このストッパ（２５）が再び起立して、最早旧版（２２）の逆送を許さなくなる。
そして、検知手段（１６）が旧版（２２）のストッパ通過を検出すると、作動手段（１４）が保持プレート（１１）に作用して、軸（１２）を中心に枢動させる。これにより、保持プレート（１１）の櫛状の分岐部分が長穴（１０）中に没入することとなる。
この時、搬送手段（９）が逆転（図６の反時計回りである。）を始める。そうすると、旧版（２２）はストッパ（１５）に規制されて逆戻りは許されないが、新版（２１）は、エンドレスベルト（７）によって版胴（４）方向に進行する。言い換えると、旧版（２２）の排出経路を利用しつつも、それとは反対の方向に新版（２１）が給送されていくのである。
【００１６】
新版（２１）の版先は、図７に示すように、版先クランプ（２５）によって咬えられ、この後、版胴（４）が反時計回りに回動されて、新版（２１）が胴周に巻き付けられる。
そして、図８に示すように、版尻も版尻クランプ（２３）によって咬えられて新版（２１）の装着が完了すると、作動手段（１４）が復帰して、保持プレート（１１）を再び押し上げ、次行の作業切替に備えるとともに、旧版（２２）はオペレータによって取り除かれることとなる。
【００１７】
【発明の効果】
本発明に係る刷版移送装置にあっては、装置本体は一定位置に静止したままであり、搬送手段を正転／逆転させて、排版／給版に共用することとしており、保持プレートの枢動により、新版が搬送手段の搬送経路に導かれる。
これにより、格別の技能を要することもなく、刷版の交換が迅速、かつ、正確に行える。また、装置も低価格で済み、更に、サテライト型印刷機にも適用できるという有意義な効果がある。
【図面の簡単な説明】
【図１】本発明に係る刷版移送装置の一実施例を示す側断面図である。
【図２】同じく、装置の左半分を示す平面図である。
【図３】以下は、装置の動作を順に示す動作説明図であり、本図は新版の準備と、旧版の版尻解除を示す。
【図４】搬送手段による排版の開始を示す。
【図５】旧版の版先解除を示す。
【図６】旧版が逆送できない状態で、新版の給送が開始された状態を示す。
【図７】新版の版先がクランプされる状態を示す。
【図８】新版の装着が完了し、かつ、保持プレートが復帰した状態を示す。
【符号の説明】
１        基台
４        版胴
５        コンベアローラ
６        コンベアローラ
７        エンドレスベルト
８        モータ
９        搬送手段
１０      長穴
１１      保持プレート
１２      軸
１４      作動手段
１５      ストッパ
１６      検知手段
２１      新版
２２      旧版
２３      版尻クランプ
２５      版先クランプ
【図１】
2004268265.tif 000003
【図２】
2004268265.tif 000004
【図３】
2004268265.tif 000005
【図４】
2004268265.tif 000006
【図５】
2004268265.tif 000007
【図６】
2004268265.tif 000008
【図７】
2004268265.tif 000009
【図８】
2004268265.tif 000010